(57)【特許請求の範囲】
【請求項１】
傾斜状支持部２１の後方端部に所定角度で折曲する軒先に取着する小孔２８付取着用取付部２９と、前方部を所定の角度で傾斜せしめ形成する支承部２２と、前記支承部２２の先端部を折曲して形成する孔付垂直状取付部とからなる上方受け金具ｂと、前記上方受け金具ｂの上面に載置可能な雨樋カバーａと、雨樋ｄを支承する樋受本体ｃと、前記樋受本体ｃと接続する振子式金具ｅと、雨水を雨樋ｄ内に誘導する雨水落下誘導板部ｆと、厚さ調整ナットｇと、連結金具ｉとからなる樋受金具において、
前記雨樋カバーａが、前記雨樋カバーａを構成する前方部に、流出する雨水の流速方向を反転せしめ、雨水の流速を弱減して雨水を雨樋ｄ内にスムーズに排出せしめる雨水流速弱減部ｓを設け、
前記樋受本体ｃは雨樋ｄを支承する支承部３１と、前方端部を上方に折曲して雨樋ｄの前方開口縁部４２を係止する前方係止部３３を形成し、前記前方係止部３３の下方部に孔３４付前方取付部３２を形成し、前記孔３４に頭部３６付ボルト３５を貫通螺着せしめ、且前記樋受本体ｅの後方端部を上方に折曲して雨樋ｄの後方開口縁部４３を係止する後方係止部３７を形成し、前記後方係止部３７の下方部に孔３９付後方取付部３８を形成し、前記孔３９に頭部４１付ボルト４０を貫通し前記後方取付部３８に頭部４１付ボルト４０を溶着すると共に、
前記振子式金具ｅは、中央部に前記樋受本体ｃの後方係止部３７と接続する取付部４４を設け、且前記取付部４４の左端部を所定の長さだけ直角状に折曲した脚部４５を形成し、前記脚部４５の先端部を直角状に延設して小孔４７付左サイド部４６を形成し、さらに前記取付部４４の右端部を所定の長さだけ直角状に折曲した脚部４５を形成し、前記脚部４５の先端部を直角状に外側方に延設して小孔４８付右サイド部４９を形成し、且前記取付部４４の裏側部４４ｂには、前記樋受本体ｃの後方取付部３８の孔３９より貫通する頭部４１付ボルト４０と螺着するナット５０を溶着し、前記取付部４４には前記ボルト４０を螺入せしめる小孔４４ａを設け、
前記雨水落下誘導板部ｆは、上方部に小孔５２付垂直状取着部５１を形成し、且前記小孔５２は、所定間隔おきに複数並列状に形成し、且前記垂直状取着部５１の下方端部には、内側方に傾斜状に折曲する雨水を雨樋ｄ内に誘導せしめる傾斜状部５３を形成し、
前記樋受本体ｃを振子式金具ｅに対し振子状に前記ボルト４０を介して常時揺動可能にしてナット５０の緊締を調整しながら接続し、
前記上方受け金具ｂと、雨樋カバーａと、樋受本体ｃと、雨水落下誘導板部ｆと、厚さ調整ナットｇと、連結金具ｉとを一体に接続せしめることを特徴とする樋受金具。
【請求項２】
前記雨樋カバーａを構成する雨水流速弱減部ｓが、前記雨樋カバーａを構成する前方部２に、流出してきた雨水の流速方向を反転せしめ、雨水の流速を弱減せしめる前記雨樋カバーａの表面部１よりも若干高く、且雨水の流速を弱減して雨水を雨樋ｄ内にスムーズに排出せしめる所定の高さを有し、且若干突出形状にして有底部５を有する反転部４を形成し、前記反転部４の頂部を外側方に延設して孔１７付接続部１６を形成せしめることを特徴とする請求項１記載の樋受金具。
【請求項３】
前記雨樋カバーａを構成する雨水流速弱減部ｓの反転部１５を構成する頂部６ａもしくは突出形状の上面部が、前記雨樋カバーａの表面よりも若干高めに形成せしめることを特徴とする請求項１又は請求項２に記載の樋受金具。
【発明の詳細な説明】
【技術分野】
【０００１】
本発明は、樋受金具の技術分野に関する。
【背景技術】
【０００２】
従来屋根等に降った雨水は、雨樋カバーの上面部全体に表面張力の作用によって拡散し、出来るだけ雨樋の外側方に飛散することなく、流出する雨水がスムーズに雨樋内に排出されるよう創意工夫がなされてきた。
【０００３】
さらに、従来の雨樋カバーは、屋根から流出する雨水を前記雨樋カバーから、確実に雨水を雨樋内に排出させるために、雨樋カバーに、透孔と集水溝とを設けていた（特開平１１−１００９５３公開特許公報）。
【０００４】
また、前記雨樋を支承する樋受本体は、取付けるための位置決め作業と取付け作業とが、高所のため思うように行かず、多少の誤差の発生は止むを得なかった。
【０００５】
そのため前記のように施工された樋受本体の取付け作業が原因で、雨樋の後方開口端縁部と、前記樋受本体の後方端部の後方係止部とが、雨樋に対し面接触ではなく、点接触となることが応々にしてあったので、雨樋が損傷されやすかった。
【０００６】
さらに、従来の雨樋は、材質が塩化ビニール製のため、夏季には延び、冬季には縮むという特性があり、そのため前記樋受本体の前方、後方開口部縁部の係止部に当接する雨樋の前方及び後方開口端縁部が、季節によって点接触となったり、面接触となったりして変化し損傷しやすかった。
【０００７】
そのため雨樋の製品寿命を短命にしていた。
【０００８】
また、従来の雨樋は、屋根に上がってペンキ塗り作業等をするため梯子を掛けると、梯子の重みによって撓むおそれがあった。
【特許文献１】特開平１１−１００９５３号公開特許公報
【発明の開示】
【発明が解決しようとする課題】
【０００９】
前記開示の特開平１１−１００９５３号特許公開公報に記載された樋装置の雨樋カバー２８には、複数の透孔３０と底部分に透孔３０を有する３条の集水溝３２が形成されているが、このような構造の雨樋カバーでは、屋根に大量の降雨があって、雨樋カバーの上面上に相当のスピードで雨水が流出すると、前記３条の集水溝３２に流れ落ちる雨水は、一部の流水のみで、殆んどの流水は雨樋カバーの前方端部方向に流出し、そのまま雨樋の外側方に飛散するおそれが十分に存していた。
【００１０】
さらに前記開示の特開平１１−１００９５３号特許公開公報の雨樋カバー２８に形成の集水溝３０は、集水溝３０を構成する頂部と、透孔３０が形成されている他の部位とは、面一となっている。
【００１１】
そのため、前記雨樋カバー２８の集水溝３０の構造は、屋根に降った大量の雨水が相当のスピードで流出してきたときに、大量の雨水の流速を雨樋カバーの上面部にて弱減せしめたり、さらに流出してきた雨水を雨樋外側方に飛散することを未然に防止することができない構造である。
【００１２】
しかるに本発明は、屋根に大量の雨水が降って、雨樋カバーの上面部に雨水が相当のスピードで流出してきても、雨水の流速を妨害し雨水を跳ね上げ反転せしめて流速を弱減せしめると共に、弱減状態となって流速が弱まった雨水の一部を雨樋カバーに設けた小孔より雨樋内に排出し、さらに他の雨水を前記雨樋カバーの前方部より表面張力作用によって雨樋内に排水せしめ、雨水を雨樋の外側方に飛散させないようにした。
【００１３】
さらに、本発明の樋受金具を構成する雨樋を支承する樋受本体は、単体にて軒先に取着して使用するものでなく、別設する振子式金具を予め軒先に取着し、取着せしめた振子式金具と前記樋受本体とを、前記樋受本体が振子状に揺動するように締付金具を若干緩めにして接続し、雨樋を構成する後方開口縁部と後方端部の後方係止部とが雨樋に対し点接触とならないようにした。そのため、四季の気温によって左右される材質（例えば塩化ビニール製）の雨樋であっても、樋受本体が振子状に揺動しているので、常時面接触をしており、損傷のおそれもなく、且雨樋の製品寿命を延長できる。
【００１４】
また本発明は、上方受け金具と、雨樋カバーと、樋受本体と、雨水落下誘導部と、厚さ調整ナットと、連結金具とをもって組立てたので、前記雨樋カバー上に積雪があって荷重がかかったりしても、さらに梯子等を立て掛けても、雨樋は強固に固定されているので、積雪にも十分耐えて損傷することなく、さらに梯子等を立て掛けても撓んだりしない。そのため安心して屋根に上ったりすることが可能である。
【課題を解決するための手段】
【００１５】
上記課題を解決する手段として、請求項１記載の樋受金具は、傾斜状支持部２１の後方端部に所定角度で折曲する軒先に取着する小孔２８付取着用取付部２９と、前方部を所定の角度で傾斜せしめ形成する支承部２２と、前記支承部２２の先端部を折曲して形成する孔付垂直状取付部とからなる上方受け金具ｂと、前記上方受け金具ｂの上面に載置可能な雨樋カバーａと、雨樋を支承する樋受本体ｃと、前記樋受本体ｃと接続する振子式金具ｅと、雨水を雨樋ｄ内に誘導する雨水落下誘導板部ｆと、厚さ調整ナットｇと、連結金具ｉとからなる樋受金具において、
前記雨樋カバーａが、前記雨樋カバーａを構成する前方部に、流出する雨水の流速方向を反転せしめ、雨水の流速を弱減して雨水を雨樋ｄ内にスムーズに排出せしめる雨水流速弱減部ｓを設け、
前記樋受本体ｃは雨樋ｄを支承する支承部３１と、前方端部を上方に折曲して雨樋ｄの前方開口縁部４２を係止する前方係止部３３を形成し、前記前方係止部３３の下方部に孔３４付前方取付部３２を形成し、前記孔３４に頭部３６付ボルト３５を貫通螺着せしめ、且前記樋受本体ｅの後方端部を上方に折曲して雨樋ｄの後方開口縁部４３を係止する後方係止部３７を形成し、前記後方係止部３７の下方部に孔３９付後方取付部３８を形成し、前記孔３９に頭部４１付ボルト４０を貫通し前記後方取付部３８に頭部４１付ボルト４０を溶着すると共に、
前記振子式金具ｅは、中央部に前記樋受本体ｃの後方係止部３７と接続する取付部４４を設け、且前記取付部４４の左端部を所定の長さだけ直角状に折曲した脚部４５を形成し、前記脚部４５の先端部を直角状に延設して小孔４７付左サイド部４６を形成し、さらに前記取付部４４の右端部を所定の長さだけ直角状に折曲した脚部４５を形成し、前記脚部４５の先端部を直角状に外側方に延設して小孔４８付右サイド部４９を形成し、且前記取付部４４の裏側部４４ｂには、前記樋受本体ｃの後方取付部３８の孔３９より貫通する頭部４１付ボルト４０と螺着するナット５０を溶着し、前記取付部４４には前記ボルト４０を螺入せしめる小孔４４ａを設け、
前記雨水落下誘導板部ｆは、上方部に小孔５２付垂直状取着部５１を形成し、且前記小孔５２は、所定間隔おきに複数並列状に形成し、且前記垂直状取着部５１の下方端部には、内側方に傾斜状に折曲する雨水を雨樋ｄ内に誘導せしめる傾斜状部５３を形成し、
前記樋受本体ｃを振子式金具ｅに対し振子状に前記ボルト４０を介して常時揺動可能にしてナット５０の緊締を調整しながら接続し、
前記上方受け金具ｂと、雨樋カバーａと、樋受本体ｃと、雨水落下誘導板部ｆと、厚さ調整ナットｇと、連結金具ｉとを一体に接続せしめることを特徴とする樋受金具である。
【００１６】
請求項２記載の樋受金具は、前記雨樋カバーａを構成する雨水流速弱減部ｓが、前記雨樋カバーａを構成する前方部２に、流出してきた雨水の流速方向を反転せしめ、雨水の流速を弱減せしめる前記雨樋カバーａの表面部１よりも若干高く、且雨水の流速を弱減して雨水を雨樋ｄ内にスムーズに排出せしめる所定の高さを有し、且若干突出形状にして有底部５を有する反転部４を形成し、前記反転部４の頂部を外側方に延設して孔１７付接続部１６を形成せしめることを特徴とする請求項１記載の樋受金具である。
【００１７】
請求項３記載の樋受金具は、前記雨樋カバーａを構成する雨水流速弱減部ｓの反転部１５を構成する頂部６ａもしくは突出形状の上面部が、前記雨樋カバーａの表面よりも若干高めに形成せしめることを特徴とする請求項１又は請求項２に記載の樋受金具である。
【発明の効果】
【００１８】
請求項１記載の樋受金具は、雨樋を支承する幅広の樋受本体を、予め軒先の所定個所に取着せしめる振子式金具に対し、振子状に揺動可能な関係を確保させながら緊締具を介して接続せしめたので、支承された雨樋が前記樋受本体との間で、点接触ではなく、面接触状態で支承される。そのため前記樋受本体が、雨樋に対し常時面接触をしているので、雨樋の端縁部が損傷しにくく、雨樋の製品寿命を延ばすことができる。
【００１９】
さらに本発明は、支承されている雨樋が塩化ビニール資材製の場合、四季折々の気温に左右されて、伸縮等がなされても、支承する樋受本体が振子式金具に対し、即応し揺動するので、雨樋と樋受本体との間に、面接触状態が確保され、雨樋の損傷を未然に防止できる。
【００２０】
また本発明は、前記雨樋を支承する振子式金具と接触する樋受本体と、雨樋カバーを載置し、且接触せしめる上方受け金具と、雨水落下誘導板部と、厚さ調整ナットとを、別設の連結金具によって組立てたので、雨樋は堅固に固着される。また前記雨樋カバー上に相当量の積雪があっても、十分耐えることができるので雨樋カバー等が、損傷するおそれは存しない利点を有している。
【００２１】
つぎに、請求項２及び同３に記載の樋受金具は、雨水の流速弱減部を、所定の高さを有し、且有底部を有する反転部を形成し、前記反転部の頂部を外側方に延設して孔付接続部を形成したので、大量の雨が屋根に降って、雨樋カバーに流出してきても、雨水が前記した反転部に衝突し、雨水を跳ね上げ反転現象を起して、雨水の流速を著減し、跳ね上げられた雨水は、前記反転部の頂部より外側方に延設した孔付接続部の表面部に沿って雨樋内に排水させることができる。そのため大量の雨水でも雨樋の外側方に飛散させない利点を有している。
【００２２】
さらに本発明は、雨樋カバーに、所定高さを有し、且若干突出する突出形状の雨水反転部を形成せしめて、屋根に降った大量の雨水を反転部によって跳ね上げ反転現象を起して、雨水の流速方向を逆方向に反転させて、雨水の流速を著減し、流速が著減した雨水は、前記反転部の表面部に沿って雨樋内に排水する。そのため屋根上に大量の降水があっても、流出してきた雨水が雨樋カバーの外側方には飛散したりしない。
【００２３】
さらに本発明は、請求項１記載の発明と同じ効果を有している。
【発明を実施するための最良の形態】
【００２４】
本発明の請求項１〜３記載の発明の実施の形態は、共通しているので図面にもとづき以下のとおり一括して説明する。
【００２５】
ａは本発明の樋受金具を構成する雨樋カバーである。
【００２６】
ｂは前記雨樋カバーａを下方より支持し、且固定する上方受け金具である。
【００２７】
ｃは雨樋ｄを支承する樋受本体である。
【００２８】
ｅは前記樋受本体ｃと接続する振子式金具である。
【００２９】
ｆは雨水を雨樋ｄ内に誘導する雨水落下誘導板部である。
【００３０】
ｇは厚さ調整ナットである。
【００３１】
ｈは連結金具である。
【００３２】
前記密閉式雨樋カバーａの実施につき説明する。
【００３３】
前記カバーａは、前記上方受け金具ｂの上面に後述するボルト及びナットを介して接続する。
【００３４】
さらに前記カバーａは、前方部２に、屋根３から降って流出する雨水の流速を著減して雨水を確実に雨樋内に排水せしめる雨水流速弱減部ｓを設ける。１は前記カバーａの表面部である。
【００３５】
前記雨水流速弱減部ｓの実施の一例としての形態を説明すると以下のとおりである。
【００３６】
前記雨水流速弱減部ｓは、雨水流速を弱減せしめる形態として種々のものが創作されるが、前記雨樋カバーａを構成する前方部２に、屋根３から流出してきた雨水の流速方向を反転せしめ、雨水の流速を弱減せしめる前記雨水カバーａの表面部１よりも若干高く、且有底部５を有する反転部４を設ける。
【００３７】
そして前記反転部４は、図１〜３のように若干傾斜する傾斜状部５ａを形成し、前記の有底部５と接続する。従って前記反転部４と、傾斜状部５ａと、有底部５とをもって貯水部４ａが形成される。
【００３８】
前記形状の弱減部ｓは、雨水が屋根３から雨樋カバーａの表面部１に流出して傾斜状部５ａから反転部４に衝突して流速は反転する。反転した雨水は、貯水部４ａに貯水され、前記有底部５ａに小孔９が形成されているときは、小孔９より雨樋ｄへ排水され、さらに排水されなかった他の雨水は、頂部６を越えて表面張力の作用によって雨樋ａへと排水される。従って雨水は雨樋ａの外側方に飛散しない。
【００３９】
さらに本発明は、前記反転部４の頂部６を外側方に稍膨出せしめ、且垂下状に延設して孔８付き接続部７を形成する。
【００４０】
前記有底部５には、雨水を雨樋ｄ内に排水せしめる小孔９を所定の間隔おきに複数形成しなくともよい。
【００４１】
また前記雨樋カバーａには、前記上方受け金具ｂと接続せしめる頭部１１付ボルト１０を貫通する貫通孔１２を所定間隔おきに複数形成する。１３は前記頭部１１付ボルト１０に螺着するナットである。
【００４２】
１４は前記雨樋カバーａの表面部１に突設せしめた雨水の流速を弱める所定間隔おきに突設せしめた突起部である。
【００４３】
さらに前記雨水流速弱減部ｓの実施の第２例を示すと以下のとおりである。
【００４４】
第２実施例の雨水流速弱減部ｓは、前記雨樋カバーａを構成する前方部２に、屋根３より流出してきた雨水の流速方向を反転せしめて雨水の流速を弱減して雨水を雨樋ｄ内にスムーズに排水せしめる所定の高さを有し、且前記雨樋カバーａの表面部１より若干突出形状もしくは湾曲状に膨出せしめる反転部１５を形成してもよい。前記反転部１５は、雨樋カバーａの表面部１より若干突出するか、もしくは膨出した形状でもよい。前記反転部１５の作用は、雨水の流速方向を減じ、且減じられると同時に流速方向が反転するものである。９は前記反転部１５の基部に形成された小孔、６ａは、前記反転部１５の頂部である。
【００４５】
そして前記反転部１５の頂部６ａを外側方に湾曲状に延設せしめて、孔１７付き接続部１６を形成する。
【００４６】
さらに前記第２実施例の雨樋カバーａにも、前記上方受け金具ｂと接続せしめる頭部１１付ボルト１０を貫通する貫通孔１２を所定間隔おきに複数形成する。１３は前記頭部１１付ボルト１０に螺着するナットである。
【００４７】
１９は前記雨樋カバーａの表面部１に雨水の流速を弱めるために所定間隔おきに突設せしめた突起部である。
【００４８】
以上が雨樋カバーａの第１、第２実施例の形態である。
【００４９】
さらに前記雨樋カバーａを支持する上方受け金具ｂの実施の形態を説明すると以下のとおりである。
【００５０】
この受け金具ｂは、前記雨樋カバーａを下方より支持し、固定するものであり、前記雨樋カバーａを支承する傾斜状支持部２１を形成する。
【００５１】
そして前記支持部２１の前方部を折曲して折曲支承部２２を形成する。
【００５２】
さらに前記支承部２２の先端部を折曲して下方垂直状支承部２３を形成する。前記下方垂直状支承部２３には、頭部２５を有するボルト２６を貫通する小孔２４を設ける。２７は前記ボルト２６と螺着のナットである。
【００５３】
他方前記傾斜状支持部２１の後方端部には、前記傾斜状支持部２１に対し、所定の傾斜角度をもって下方に折曲する左サイド及び右サイドに小孔２８を有する取付部２９を形成する。
【００５４】
３０は前記取付部２９を軒先等に小孔２８を介して固定する止め具である。
【００５５】
さらに前記上方受け金具ｂの第２実施例は図５、６、７に示すとおりである。
【００５６】
前記第２実施例の上方受け金具ｂは、雨樋カバーａを支承する傾斜状支持部２１の前方部を折曲して所定の角度をもって折曲して下方垂直状支承部２３を形成する。そして前記下方垂直状支承部２３には、頭部２５付ボルト２６を貫通する小孔２４を設ける。２７は前記ボルト２６と螺着するナットである。
【００５７】
つぎに樋受本体ｃの実施例につき説明する。
【００５８】
前記樋受本体ｃは雨樋ｄを支承する支承部３１と、前方端部を上方に折曲して雨樋ｄの前方開口縁部４２を係止する前方係止部３３を形成し、前記前方係止部３２の下方部に孔３４付前方取付部３２を形成する。さらに前記孔３４に頭部３６付ボルト３５を貫通し、前記前方取付部３３とボルト３５とを熔着する。３５ａは前記ボルト３５に螺着のナットである。
【００５９】
さらに前記樋受本体ｃの後方端部を上方に折曲して雨樋ｄの後方開口縁部４３を係止する後方係止部３７を形成し、前記後方係止部３７の下方部に孔３９付後方取付部３８を形成する。そして前記孔３９に頭部４１付ボルト４０を貫通し前記後方取付部３８に頭部４１付ボルト４０を螺着する。
【００６０】
ｅは、前記樋受本体ｅと接続する振子式金具であり、実施の形態は以下のとおりである。
【００６１】
前記振子式金具ｅは、中央部に前記樋受本体ｃの後方係止部３７と接続する取付部４４を設け、且前記取付部４４の左端部を所定の長さだけ直角状に折曲した脚部４５を形成し、さらに前記脚部４５の先端部を直角状に延設して小孔４７付左サイド部４６を形成し、さらに前記取付部４４の右端部を所定の長さだけ直角状に折曲した脚部４５を形成し、さらに前記脚部４５の先端部を直角状に外側方に延設して小孔４８付右サイド部４９を形成する。
【００６２】
また前記取付部４４の裏側部４４ｂには、前記樋受本体ｃの後方取付部３８の孔３９より貫通する頭部４１付ボルト４０と螺着するナット５０を溶着する。４４ａは前記ボルト４０を螺入せしめる前記取付部４４に設けた小孔である。
【００６３】
さらに、本発明における振子式金具ｅは、軒先の傾斜角度に対応した形態として以下の実施例を挙げることができる。
【００６４】
即ち、前記振子式金具ｅを構成する中央部に前記樋受本体ｃの後方係止部３７と接続する取付部ｃを設ける。そして前記取付部４４ｃの左端部を所定の長さだけ直角状に折曲して脚部４５ａを形成し、さらに前記脚部４５ａの先端部が下面部に行くに従って若干傾斜しながら外側方に直角状に延設する小孔４７ａ付左サイド部４６ａを形成する。
【００６５】
さらに前記取付部４４ｃの右端部を所定の長さだけ直角状に折曲して脚部４５ａを形成し、前記脚部４５ａの先端部が下面部に行くに従って若干傾斜しながら外側方に直角状に延設する小孔４８ａ付右サイド部４９ａを形成する。
【００６６】
また前記取付部４４ｃの裏面部４４ｄには、前記樋受本体ｅの後方取付部３８の孔３９より貫通する頭部４１付ボルト４０と螺着するナット５０を溶着する。４４ｅは前記ボルト４０を螺入せしめる前記取付部４４ｃに設けた小孔である。
【００６７】
前記小孔４７、４７ａ、４８、４８ａには、止め具３０を打込み前記振子式金具ｅを軒先の所定個所に打込んでやる。
【００６８】
つぎに雨水落下誘導板部ｆの実施例につき説明する。
【００６９】
この雨水落下誘導板部ｆは、上方部に小孔５２付垂直状取着部５１を形成する。前記小孔５２は、所定間隔おきに複数並列状に形成する。
【００７０】
さらに前記垂直状取着部５１の下方端部には、内側方に傾斜状等に折曲する雨水を雨樋ｄ内に誘導せしめる傾斜状部５３を形成する。前記傾斜状部５３は、雨樋ｄ内に若干侵入する長さを必要とする。
【００７１】
つぎに厚さ調整ナットｇはの実施について説明する。
【００７２】
前記厚さ調整ナットｇは、４ｍｍの厚さとし、中央にボルト２６が貫通する小孔２６ａを設ける。
【００７３】
前記ナットｇは、４ｍｍ以上の大きさのごみ、落葉等の侵入を防止するためである。
【００７４】
ｉは連結金具であり以下の実施形態を有する。
【００７５】
上方部にボルト２６が貫通する小孔５４を、下方部にボルト３５を貫通する長孔５５を夫々形成する。
【００７６】
前記ボルト３５の先端部は丸味を持たせる。３５ａはボルト３５と螺着するナットである。
【００７７】
さらに軒先に所定の間隔にて取付けられた複数の上方受け金具ｂの傾斜状支持部２１に密閉式雨樋カバーａを載せ、雨樋カバーａと上方受け金具ｂとを、ボルト１０を貫通孔１２に貫通せしめナット１３を螺着して接着する。
【００７８】
さらに複数前記振子式金具ｅを軒先の所定位置に止め具３０を介して固着する。その際軒先の傾斜角度に対応させて、例えば軒先が図１、２、５、６のように垂直状のときは、図８、９、１０に図示の振子式金具ｅを使用する。
【００７９】
他方の軒先の傾斜角度が、例えば軒先が図３、７のように若干傾斜しているときは、図１１、１２、１３に図示の振子式金具ｅを使用する。
【００８０】
前記のようにして止め具３０を介して取付けられた振子式金具ｅの取付部４４と、前記樋受本体ｃの後方取付部３８とをボルト４０を孔３９に貫通しナット５０に螺入し若干の緩みを与え、前記樋受本体ｃが振子状に揺動可能な度合で接続せしめてやる。
【００８１】
従って、本発明は、前記振子式金具ｅ、ｅと前記樋受本体ｃとの緊締は、前記したとおり左右方向に揺動ができない程度の緊締はしないことを条件としている。
【００８２】
さらに前記のようにして取着の樋受本体ｃの支承部３１に、前記雨樋ｄを嵌挿部せしめると、前記雨樋ｄを構成する前方開口縁部４２が前方係止部３２によって係止される。
【００８３】
また雨樋ｄの後方開口端部４３も後方係止部３７によって係止される。
【００８４】
さらに上方受け金具ｂの下方垂直部２３と重合している雨樋カバーａの孔８付接続部７の外側方に、前記厚さ調整ナットｇを、前記ナットｇの外側方に、前記雨水落下誘導板部ｆをさらに前記誘導板部ｆの外側方に連結金具ｉをあてると、孔８と小孔２４と小孔２６ａと小孔５２と小孔５４とが合致する。前記のように合致せしめた前記孔、小孔に対しボルト２６を貫通しナット２７をもって螺着する。
【００８５】
また前記係止部３３の孔３４と連結金具ｉの長孔５５とを合致させ、これらの孔、長孔にボルト３５を貫通せしめナット３５ａを螺着する。
【００８６】
前記ボルト３５とナット３５ａとの螺着時において、前記ボルト３５を前記長孔５５内に若干位置を移動させながら微調整をして所定の位置決めをして螺着せしめる。
【００８７】
上記のようにして、雨樋カバーａと、上方受け金具ｂと、振子式金具ｅと、樋受本体ｃと、雨水誘導部ｆと、厚さ調整ナットｇと、連結金具ｉと、緊締金具とをもって固着する。
【００８８】
さらに前記のように組立てられた本発明を構成する雨樋カバーａは図１、２、３に図示されているように所定の傾斜角度をもって取付けられている。
【００８９】
そして前記のようにして取付けられている雨樋カバーａに、屋根３上に降った大量の雨水が雨量に応じた所定の流速をもって雨樋ａの前方部をめがけて流出するが、それら流出雨水は、雨水流速弱減部ｓの反転部４に衝突し、流速方向が反転する。前記のように反転せしめられた一部の雨水は、一時は貯水部４ａに貯水状態となるが、小孔９より雨樋ｄ内に排出される。
【００９０】
さらに前記のようにして反転せしめられた雨水の一部は、流速が弱められているので、前記反転部４を越えて、表面張力現象によって接続部７から雨水誘導部ｆの傾斜状部５３から雨樋ａ内に確実に排水される。
【００９１】
また本発明においては、厚さ調整ナットｇが介在せしめているので、前記ナットｇの厚さ以上のごみ等は侵入が阻止される。従って雨樋ｄ内にごみ等が推積し、雨水の流れを悪化させたりしない。
【００９２】
そして、本発明を構成する雨樋カバーａが、図５、６、７に図示されているように所定の傾斜角度をもって取付けられていても、屋根３から雨樋カバーａに流出してきた雨水は、雨水流速弱減部ｓの反転部１５によって反転せしめられる。
【００９３】
反転せしめられた雨水の一部は、小孔９が形成されているときは、小孔９から雨樋ｄ内に排水されるし、他の雨水は流速が弱減せしめられながら、雨樋カバーａの前方部の表面部から接続部１６へと、さらに厚さ調整ナットｇによって形成されている間隙部から雨水誘導部ｆの傾斜状部５３から雨樋ａ内に確実に排水される。
【００９４】
そして、前記ナットｇの厚さ以上の大きさのごみ等は、雨樋ｄ内に入ったりしない。
【００９５】
さらに本発明を構成する振子式金具ｅと樋受本体ｃとの締付け度合を、嵌挿する雨樋ｄの開口縁部４２、４３と係止部３２、３７とが、点接触ではなく、面接触状態を保持させるように、前記樋受本体ｃが振子状に揺動するよう前記ボルト４０とナット５０の緊締度合いを微調整をして両部材を接続せしている。
【００９６】
そのため雨樋ｄが気温の変化によって伸縮しても、その変化に樋受本体ｃが対応する。
【図面の簡単な説明】
【００９７】
【図１】本発明樋受金具の組立て状態を示す一部切欠斜視図である。
【００９８】
【図２】図１の樋受金具の組立てた状態の一部切欠縦断正面図である。
【００９９】
【図３】樋受金具の第２実施例を示す一部切欠縦断面図である。
【０１００】
【図４】図１の樋受金具の一部切左側面図である。
【０１０１】
【図５】本発明樋受金具の第２実施例を示す斜視図である。
【０１０２】
【図６】図５に示した雨樋金具の一部切欠縦断正面図である。
【０１０３】
【図７】雨樋金具の第３実施例を示す一部切欠縦断正面図である。
【０１０４】
【図８】振子式金具の正面図である。
【０１０５】
【図９】同金具の右側面図である。
【０１０６】
【図１０】同金具の平面図である。
【０１０７】
【図１１】同金具の第２実施例の正面図である。
【０１０８】
【図１２】図１１の金具の右側面図である。
【０１０９】
【図１３】図１１の金具の平面図である。
【０１１０】
【図１４】樋受本体と雨樋との点接触状態を示す一部切欠平面図である。
【０１１１】
【図１５】樋受本体と雨樋との点接触状態を示す一部切欠平面図である。
【０１１２】
【図１６】樋受本体と雨樋との面接触状態を示す一部切欠平面図である。
【符号の説明】
【０１１３】
ａ      雨樋カバー
ｂ      上方受け金具
ｃ      樋受本体
ｄ      雨樋
ｅ      振子式金具
ｆ      雨水落下誘導板部
ｇ      厚さ調整ナット
ｉ      連結金具
ｓ      雨水流速弱減部
１      表面部
２      前方部
３      屋根
４      反転部
４ａ    貯水部
５      有底部
５ａ    傾斜状部
６      頂部
６ａ    頂部
７      接続部
８      孔
９      小孔
１０    ボルト
１１    頭部
１２    貫通孔
１３    ナット
１４    突起部
１５    反転部
１６    接続部
１７    孔
１９    突起部
２１    支持部
２２    折曲支承部
２３    垂直状支承部
２４    小孔
２５    頭部
２６    ボルト
２７    ナット
２８    小孔
２９    取付部
３０    止め具
３１    支承部
３２    前方係止部
３３    前方取付部
３４    孔
３５    ボルト
３５ａ  ナット
３６    頭部
３７    後方係止部
３８    後方取付部
３９    孔
４０    ボルト
４１    頭部
４２    前方開口縁部
４３    後方開口縁部
４４    取付部
４５    脚部
４６    左サイド部
４７    小孔
４８    小孔
４９    右サイド部
５０    ナット
５１    垂直状取着部
５２    小孔
５３    傾斜状部
５４    小孔
５５    長孔
【図１】
0004475253.tif 000002
【図２】
0004475253.tif 000003
【図３】
0004475253.tif 000004
【図４】
0004475253.tif 000005
【図５】
0004475253.tif 000006
【図６】
0004475253.tif 000007
【図７】
0004475253.tif 000008
【図８】
0004475253.tif 000009
【図９】
0004475253.tif 000010
【図１０】
0004475253.tif 000011
【図１１】
0004475253.tif 000012
【図１２】
0004475253.tif 000013
【図１３】
0004475253.tif 000014
【図１４】
0004475253.tif 000015
【図１５】
0004475253.tif 000016
【図１６】
0004475253.tif 000017